(57)【要約】【課題】略Ｕ字状のプラスチッククリップで包装袋を結束するとともに、包装袋を結束しているプラスチッククリップを人が手作業などで取り外そうとした場合には定まった位置で折れを生じさせて包装袋から分離できるようにし、プラスチッククリップを取り外すときに爪欠けを生じさせたり指先を傷めたりしないようにする。【解決手段】円弧状の基部２の両端それぞれに脚部３を連続させて略Ｕ字状としたプラスチッククリップであって、基部２の中央７の内辺２ａ側に凹陥部８を設け、基部２の中央４での外辺２ｂ側の樹脂断面を内辺２ａ側の樹脂断面より広くした。【選択図】図１
2008025805.tif 000002
【特許請求の範囲】
【請求項１】
円弧状の基部の両端それぞれに脚部を連続させて略Ｕ字状としたプラスチッククリップであって、前記基部の中央の内辺側に凹陥部を設け、基部の中央での外辺側の樹脂断面を内辺側の樹脂断面より広くしたことを特徴とするプラスチッククリップ。
【発明の詳細な説明】
【技術分野】
【０００１】
本発明は漬け物などを収納した包装袋を結束するプラスチッククリップに関するものである。
【背景技術】
【０００２】
従来から、漬け物などを収納したプラスチックフィルムからなる包装袋を結束して収容物を保護する結束具として金属ワイヤが用いられてきたが、収納物を取り出した後に包装袋と金属ワイヤとを分別するすることができないことから、プラスチック製の結束具が提案されている。例えば、円弧状の基部の両端それぞれに脚部を連続させて略Ｕ字状としたプラスチッククリップがあり、包装袋の結束すべき個所を絞った状態としてここにプラスチッククリップを合わせ、結束装置でそのプラスチッククリップを加熱して両脚部が前記包装袋の絞り部分を巻くように加圧変形させて結束するようにしたものが提案されている（特許文献１参照）。
【特許文献１】特開２００３−０５６５１９
【発明の開示】
【発明が解決しようとする課題】
【０００３】
また、このプラスチッククリップとしては、商品を収納した包装袋の商品姿を整えるためにも使用されている。即ち、包装袋自体はヒートシールなどされていて、上述したように包装袋の結束すべき個所を絞り込んだ状態にしてこのプラスチッククリップを配して結束させている。この商品の場合でも開封は収納物が位置している個所の包装材を切断して取り出すものである。
しかしながら、商品の開封に際してプラスチッククリップを直接取り外そうとしたり、包装袋の廃棄に際してもこのプラスチッククリップを直接取り外そうと試みられる場合があって、爪が欠けたり指先を傷めるなどの惧れがあった。
そこで本発明は上記事情に鑑み、上述した略Ｕ字状のプラスチッククリップに関して、このプラスチッククリップで包装袋を結束するとともに、包装袋を結束してるプラスチッククリップを人が手作業などで取り外そうとした場合には定まった位置で折れを生じさせて包装袋から分離できるようにすることを課題とし、プラスチッククリップを取り外すときに爪欠けを生じさせたり指先を傷めたりしないようにすることを目的とするものである。
【課題を解決するための手段】
【０００４】
本発明は上記課題を考慮してなされたもので、円弧状の基部の両端それぞれに脚部を連続させて略Ｕ字状としたプラスチッククリップであって、前記基部の中央の内辺側に凹陥部を設け、基部の中央での外辺側の樹脂断面を内辺側の樹脂断面より広くしたことを特徴とするプラスチッククリップを提供して、上記課題を解消するものである。
【発明の効果】
【０００５】
本願発明によれば、基部の中央では樹脂の量が少なくなっているとともに、樹脂が内辺側より外辺側に多くあるため、結束しているプラスチッククリップを取り外すために広げるようにした場合には樹脂の量が小さくなっている基部の中央に応力が集中して折れを生じ、よってこのプラスチッククリップを簡単に取り外すことができるようになる。
【発明を実施するための最良の形態】
【０００６】
つぎに本発明を図示の実施の形態に基づいて詳細に説明する。
図中１はプラスチッククリップで、図示されているようにこのプラスチッククリップ１は略Ｕ字状の形状を有していて、半円の円弧状とした基部２とこの基部２の両端それぞれに連続している一対の脚部３とからなるものである。そして、基部２や脚部３の基部側を図示しない結束装置での保持機構で保持し、絞り込んだ状態の包装袋の結束部分を前記脚部３の間に通して基部２の凹となっている部分に配し、さらに脚部３の先端側を加熱軟化させ、包装袋の絞り込み部分を巻き締めるようにそれぞれの脚部３を変形させて結束する（図６）。図示の例では基部２の内辺２ａ側から前記脚部３にかけて線状にしてリブ４が一体にして設けられており、このリブ４は結束するときに包装袋に対して滑りが生じないようにするものである。
このプラスチッククリップ１は、ポリカーボネートあるいはポリエステル樹脂などの熱可塑性樹脂を用いたインジェクション成形により成形されているものである。そして、結束装置に装填し易くするためなどの理由によりプラスチッククリップ１は基部２の一側面側で凸となる連結突起５が設けられていて、図４に示すようにこの連結突起５を介して複数のプラスチッククリップ１が連接した状態に形成される（図１においてはプラスチッククリップ１の側面を示しているが、後述の凹陥部の説明を容易にするためにこの連結突起は図示していない）。また、基部２の外辺２ｂには係止突起６が突設していて、連結突起５に装填された連接状態のプラスチッククリップ１を一個ずつ確実に移送するときに利用されるものである。
【０００７】
このプラスチッククリップ１においては、上記基部２の中央７の内辺２ａ側に、外辺２ｂ側に向けて落ち込んだ非貫通の小穴からなる凹陥部８が設けられていて、この凹陥部８を設けることで、図５に示すように基部２の中心７において、基部２の軸中心の位置Ａから内辺２ａ側となっている樹脂が位置する樹脂断面より、基部２の軸中心の位置Ａから外辺２ｂ側となっている樹脂が位置する樹脂断面が広くなるようにしている。
これによって、包装袋を結束したこのプラスチッククリップ１を取り外すときに、巻き込むように湾曲変形している脚部３それぞれを外方に開くように引っ張ることで応力が基部２の中央７に集中するようになり、そして、この中央７では内辺２ａ側の樹脂断面が外辺２ｂ側の樹脂断面より狭く樹脂の量が少ないものとなっているため、両脚部３が開くように引っ張られる初期の時点で内辺２ａ側の樹脂が破断し、さらに内辺２ａ側の樹脂が破断したことで外辺２ｂ側の樹脂の部分に応力がさらに集中してこの外辺２ｂ側の樹脂の部分で折れを生じ、応力の集中度合いによって破断もするようになる。
このように基部２の中央７で簡単に折れを生じるようにしているので、プラスチッククリップ１の取り外しが簡単になる。なお、包装袋を結束している状態では、包装袋の結束位置の包装袋自体からはこのプラスチッククリップ１の基部２の中央に応力を集中させるだけの広がり力は生じず、よって、プラスチッククリップ１による結束が適正な状態で維持されるものである。
【０００８】
なお、上記実施の例では凹陥部を小穴としたして説明したが、本発明はこの例に限定されるものではない。
【図面の簡単な説明】
【０００９】
【図１】本発明に係るプラスチッククリップの一例を側面から見た状態で示す説明図である。
【図２】一例を下方から見た状態で示す説明図である。
【図３】一例を縦断面の状態で示す説明図である。
【図４】複数のプラスチッククリップが連接されている状態を示す説明図である。
【図５】基部の中央を断面で示す説明図である。
【図６】結束した状態を示す説明図である。
【符号の説明】
【００１０】
１…プラスチッククリップ
２…基部
２ａ…基部２の内辺
２ｂ…基部２の外辺
３…脚部
４…リブ
５…連結突起
６…係止突起
７…基部２の中央
８…凹陥部
Ａ…軸中心の位置
【図１】
2008025805.tif 000003
【図２】
2008025805.tif 000004
【図３】
2008025805.tif 000005
【図４】
2008025805.tif 000006
【図５】
2008025805.tif 000007
【図６】
2008025805.tif 000008